(57)【要約】【課題】市販の無線タグを物品に取り付ける場合に無線タグを保持し、かつ、無線タグを取り付けた物品を多数、横向きに重なるように近接して並べても、各無線タグの読み取り性能を十分に維持する。【解決手段】平面が長方形状の保持部材１の一方の長辺側に、ＩＣチップ２１とアンテナ２２を基板２３の中央部に配置して一体化した無線タグ２を嵌め込む大きさの貫通孔３を開ける。貫通孔３の内周略中央に無線タグの基板におけるアンテナを配置していない周縁部を支持する支持部４を形成している。【選択図】      図１
2006134247.tif 000002
【特許請求の範囲】
【請求項１】
ＩＣチップとアンテナを基板の中央部に配置して一体化した無線タグを嵌め込む大きさに形成した貫通孔を開けた保持部材からなり、前記貫通孔は、内周中間部に前記無線タグの基板の前記アンテナを配置していない周縁部を接着支持する支持部を形成したことを特徴とする無線タグの保持構造。
【請求項２】
ＩＣチップとアンテナを基板の中央部に配置して一体化した無線タグの前記ＩＣチップとアンテナを孔空間内に配置できる大きさに形成した貫通孔を開けた保持部材と、この保持部材と同一形状で、同一位置に前記貫通孔と同一形状の貫通孔を開け、前記保持部材に互いの貫通孔を合わせて積層される積層部材からなり、前記保持部材と積層部材の貫通孔は、前記保持部材及び積層部材における貫通孔周縁部で前記無線タグの基板の前記アンテナを配置していない周縁部を支持することを特徴とする無線タグの保持構造。
【請求項３】
保持部材は、一部に無線タグのアンテナと組み合わせて使用される反射器を嵌め込む溝を形成したことを特徴とする請求項１又は２記載の無線タグの保持構造。
【発明の詳細な説明】
【技術分野】
【０００１】
本発明は、例えば、マイクロ波帯やＶＨＦ／ＵＨＦ帯の電波を使用して無線通信する無線タグの保持構造に係り、特に、物品に取り付けて使用する無線タグの保持構造に関する。
【背景技術】
【０００２】
従来、ＲＦＩＤ、非接触ＩＣカード、ＩＣデータキャリアなどと呼ばれている無線タグを保持し保護するものとして、例えば、ＩＣデータキャリアを無機質の耐熱性材料で保護することで、高温に加熱される物品に取り付けられても熱による悪影響を受けるのを防止できるという保護構造が知られている（例えば、特許文献１参照）。
【特許文献１】特開２００４−２４０８８１公報
【発明の開示】
【発明が解決しようとする課題】
【０００３】
しかし、このような保護構造を使用して無線通信帯として２．４ＧＨｚ帯や９００ＭＨｚ帯を使用する無線タグを保持した場合、耐熱性材料の比誘電率により無線タグのアンテナの共振周波数がシフトするため読み取り性能の劣化を招くという問題があった。また、市販されている無線タグを封筒などの物品の所定位置に取り付け、その物品を多数、横向きに重なるように近接して並べ、この状態で無線タグの読み取りを行った場合、無線タグ同士も近接するため各無線タグのアンテナ同士が干渉し、読み取り性能の劣化を招くという問題があった。
【０００４】
本発明は、市販の無線タグを物品に取り付ける場合に無線タグを保持し、かつ、無線タグを取り付けた物品を多数、横向きに重なるように近接して並べても、各無線タグの読み取り性能を十分に維持できる無線タグの保持構造を提供する。
【課題を解決するための手段】
【０００５】
本発明は、ＩＣチップとアンテナを基板の中央部に配置して一体化した無線タグを嵌め込む大きさに形成した貫通孔を開けた保持部材からなり、貫通孔は、内周中間部に無線タグの基板のアンテナを配置していない周縁部を接着支持する支持部を形成した無線タグの保持構造にある。
【発明の効果】
【０００６】
本発明によれば、市販の無線タグを物品に取り付ける場合に無線タグを保持し、かつ、無線タグを取り付けた物品を多数、横向きに重なるように近接して並べても、各無線タグの読み取り性能を十分に維持できる無線タグの保持構造を提供できる。
【発明を実施するための最良の形態】
【０００７】
以下、本発明の実施の形態を、図面を参照して説明する。  
（第１の実施の形態）
図１において、１は平面が長方形状の保持部材で保持構造の本体を構成している。前記保持部材１の一方の長辺側に無線タグ２を嵌め込むための貫通孔３を開けている。なお、前記保持部材１としては、ＡＢＳなどの樹脂材料が好適である。
【０００８】
前記無線タグ２は一般に市販されているもので、ＩＣチップ２１とアンテナ２２を基板２３の中央部に配置して一体化した、全体として細長な長方形状になっている。前記貫通孔３は、前記無線タグ２の形状に合わせた細長な長方形状で、その内周を形成する長辺が前記保持部材１の一方の長辺と略平行になるように配置している。
【０００９】
前記貫通孔３は、図２に示すように、内周中間部、例えば内周略中央に、内周に沿って一周する段差部を形成し、この段差部により前記無線タグ２の基板２３におけるアンテナ２２を配置していない周縁部２３ａを支持する支持部４を形成している。例えば、保持部材１の厚さが略１ｍｍであったとすると、前記支持部４は保持部材１の表面から略０．５ｍｍの位置に形成される。
【００１０】
なお、ここでは貫通孔３の内周に沿って一周する段差部により支持部４を形成したが支持部４の構成はこれに限定するものではなく、貫通孔３の内周に沿って段差部を不連続に形成し、その不連続段差部により支持部を形成してもよく、また、段差ではなく、突出形状のものを貫通孔３の内周に沿って一周、あるいは不連続に形成して支持部を形成してもよい。
【００１１】
前記保持部材１の他方の長辺側に、前記無線タグ２のアンテナ２２と組み合わせて使用される反射器５を嵌め込む溝６を、前記貫通孔３の内周を形成する長辺と略平行になるようにして形成している。なお、前記反射器５は、例えば金属製のテープなどでよく、この場合の厚さは数百μｍ程度になる。そして、前記溝６の深さは少なくとも反射器５の表面が保持部材１の表面よりも突出しない深さであればよい。  
また、前記反射器５は必ず必要なものではなく、反射器を使用しない場合もあり、この場合には前記溝６は不要となる。
【００１２】
このような無線タグの保持構造では、保持部材１の貫通孔４に無線タグ２を上から嵌め込み、接着剤等を使用して支持部４に無線タグ２の基板２３におけるアンテナ２２を配置していない周縁部２３ａを接着し支持する。また、溝６にも反射器５を嵌め込み、例えば接着剤で接着固定する。
【００１３】
このようにして無線タグ２及び反射器５を取り付けた保持構造１１を、図３に示すように、封筒などの物品１２の所定位置に貼り付ける。そして、保持構造１１を貼り付けた物品１２を多数、収納容器（図示せず）に横向きに重なるように並べて収納する。  
このようにして並べられた物品１２の無線タグ２とデータの書き込みや読み取りを行うために無線通信を行うには、例えば、質問器１３に同軸ケーブル１４を介して接続された平面アンテナ１５を図に示すように物品１２の並びの方向と直交する下方に配置する。
【００１４】
各物品１２に貼り付けられた保持構造１１に保持された無線タグ２は、保持構造１１によって前後に必ず空間ができる。すなわち、無線タグ２のアンテナ２２は保持部材１に接することなく貫通孔３によって形成された空間内に配置される。これにより、保持部材１の比誘電率により無線タグ２のアンテナ２２の共振周波数がシフトすることはほとんどない。
【００１５】
また、物品１２が隣の物品１２と接触するように重なりあっても、各無線タグ２のアンテナ２２間には一定の空間ができる。これにより、各無線タグ２のアンテナ２２の共振周波数は周囲の影響を受けにくくなり、各無線タグ２の読み取り性能を十分に維持できる。従って、平面アンテナ１５は全ての物品１２の無線タグ２と良好に無線通信ができ、データの読み取りや書き込みが確実にできるようになる。
【００１６】
（第２の実施の形態）
なお、前述した実施の形態と同一の部分には同一の符号を付し、詳細な説明は省略する。  
図４に示すように、平面が長方形状の保持部材３１の一方の長辺側に無線タグ２におけるＩＣチップ２１とアンテナ２２を孔空間内に配置できる大きさで細長な長方形状の貫通孔３２を開けている。そして前記保持部材３１における貫通孔周縁部に前記無線タグ２の基板２３のアンテナ２２を配置していない周縁部２３ａを嵌め込む溝３３を形成している。
【００１７】
また、前記保持部材３１の他方の長辺側に反射器５をはめ込む溝３４を、前記貫通孔３２の内周を形成する長辺と略平行になるようにして形成している。なお、前記保持部材３１としては、ＡＢＳなどの樹脂材料が好適である。
【００１８】
４１は、前記保持部材３１と同一形状、同一サイズの積層部材である。前記積層部材４１は、前記保持部材３１と同一位置に前記貫通孔３２と同一形状、同一サイズの貫通孔４２を開けている。なお、前記積層部材４１としては保持部材３１と同一の材料、例えばＡＢＳなどの樹脂材料が好適である。
【００１９】
前記積層部材４１は前記保持部材３１に対して、互いの貫通孔３２，４２を合わせた状態で積層し、例えば接着剤で接着固定するようになっている。  
このような構成の無線タグの保持構造においては、保持部材３１に積層部材４１を積層する前に、保持部材３１の溝３３に無線タグ２の基板２３の周縁部を嵌め込み、例えば、接着剤で接着固定する。このとき、無線タグ２のＩＣチップ２１及びアンテナ２２は貫通孔３２の孔空間内に位置する。また、反射器５を溝３４に嵌め込み接着剤で接着固定する。
【００２０】
このようにして無線タグ２と反射器５を取り付けた後、積層部材４１を保持部材３１に積層するように接着剤等で貼り合わせる。こうして、図５に示すように、無線タグ２のアンテナ２２の上には貫通孔４２による空間ができ、また、アンテナ２２の下には貫通孔３２による空間ができる。また、アンテナ２２は保持部材３１や積層部材４１と接することはない。従って、保持部材３１や積層部材４１の比誘電率により無線タグ２のアンテナ２２の共振周波数がシフトすることはほとんどない。
【００２１】
このような構成の保持機構に無線タグ２を保持して物品に貼り付けた場合も、前述した実施の形態と同様に各無線タグ２のアンテナ２２の共振周波数は周囲の影響を受けにくくなり、各無線タグ２の読み取り性能を十分に維持できる。従って、この保持機構を貼り付けた物品を多数、横向きに重なるように並べても全ての物品の無線タグ２とのデータの読み取りや書き込みが確実にできるようになる。  
なお、この実施の形態では無線タグ２を嵌め込む溝を保持部材側に設けたものについて述べたがこれに限定するものではなく、積層部材側に設けても良い。また、溝を保持部材側、積層部材側の両方に設けても良い。
【図面の簡単な説明】
【００２２】
【図１】本発明の第１の実施の形態に係る保持機構を示す分解斜視図。
【図２】図１のＡ−Ａ断面図。
【図３】同実施の形態の保持機構を物品に取り付けて無線タグの読み取りを行う状態を概略的に示す斜視図。
【図４】本発明の第２の実施の形態に係る保持機構を示す分解斜視図。
【図５】図４の発明のＢ−Ｂ断面図。
【符号の説明】
【００２３】
１…保持部材、２…無線タグ、３…貫通孔、４…支持部。
【図１】
2006134247.tif 000003
【図２】
2006134247.tif 000004
【図３】
2006134247.tif 000005
【図４】
2006134247.tif 000006
【図５】
2006134247.tif 000007